【手続補正書】
【提出日】平成18年4月13日(2006.4.13)
【手続補正１】
【補正対象書類名】明細書
【補正対象項目名】発明の名称
【補正方法】変更
【補正の内容】
【発明の名称】符号化ストリーム変換装置、および、符号化ストリーム変換方法、並びに、ストリーム出力装置、および、ストリーム出力方法
【手続補正２】
【補正対象書類名】明細書
【補正対象項目名】特許請求の範囲
【補正方法】変更
【補正の内容】
【特許請求の範囲】
【請求項１】  符号化ストリームを再符号化ストリームに変換処理する符号化ストリーム変換装置において、
前記符号化ストリームに対する過去の符号化処理または復号処理において利用された履歴符号化パラメータを、前記符号化ストリームとともに入力する入力手段と、
前記入力手段により入力された前記符号化ストリームを前記再符号化ストリームに変換処理する変換手段と、
前記履歴符号化パラメータの選択的な組み合わせを示す組み合わせ情報を生成する組み合わせ情報生成手段と、
前記組み合わせ情報生成手段により生成された前記組み合わせ情報及び前記組み合わせ情報の組み合わせに対応する前記履歴符号化パラメータを、前記再符号化ストリームとともに出力する出力手段と
を備える符号化ストリーム変換装置。
【請求項２】  前記組み合わせ情報は、変換処理による画質劣化の程度に応じて区別されている情報である
請求項１に記載の符号化ストリーム変換装置。
【請求項３】  前記組み合わせ情報は、前記再符号化ストリームを利用するアプリケーションに応じて区別されている情報であり、
前記組み合わせ情報生成手段は、前記アプリケーションの要求を満たすような前記組み合わせ情報を生成する
請求項１に記載の符号化ストリーム変換装置。
【請求項４】  前記組み合わせ情報は、前記再符号化ストリームが伝送される伝送路、または、前記再符号化ストリームを記録する記録媒体の容量に応じて区別されている情報である
請求項１に記載の符号化ストリーム変換装置。
【請求項５】  前記出力手段は、前記組み合わせ情報および前記組み合わせ情報の組み合わせに対応する前記履歴符号化パラメータを、前記再符号化ストリームに記述して出力する
請求項１に記載の符号化ストリーム変換装置。
【請求項６】  前記変換手段は、前記履歴符号化パラメータを再利用して前記再符号化ストリームを生成する
請求項１に記載の符号化ストリーム変換装置。
【請求項７】  前記変換手段は、前記理履歴符号化パラメータに含まれるピクチャタイプが変換処理に用いるピクチャタイプと一致した場合のみ、前記履歴符号化パラメータを再利用する
請求項６に記載の符号化ストリーム変換装置。
【請求項８】符号化ストリームを再符号化ストリームに変換処理する符号化ストリーム変換装置の符号化ストリーム変換方法において、
前記符号化ストリームに対する過去の符号化処理または復号処理において利用された履歴符号化パラメータを、前記符号化ストリームとともに入力する入力ステップと、
前記入力ステップの処理により入力された前記符号化ストリームを前記再符号化ストリームに変換処理する変換ステップと、
前記履歴符号化パラメータの選択的な組み合わせを示す組み合わせ情報を生成する組み合わせ情報生成ステップと、
前記組み合わせ情報生成ステップの処理により生成された前記組み合わせ情報および前記組み合わせ情報の組み合わせに対応する前記履歴符号化パラメータを、前記再符号化ストリームとともに出力する出力ステップと
を含む符号化ストリーム変換方法。
【請求項９】  符号化ストリームを再符号化ストリームに変換処理する符号化ストリーム変換装置において、
前記符号化ストリームに対する過去の符号化処理または復号処理において利用された履歴符号化パラメータを、前記符号化ストリームとともに入力する入力手段と、
前記入力手段により入力された前記符号化ストリームを前記再符号化ストリームに変換処理する変換手段と、
現在の符号化パラメータを算出する符号化パラメータ算出手段と、
前記履歴符号化パラメータ、および、前記符号化パラメータ算出手段により算出された前記現在の符号化パラメータの選択的な組み合わせを示す組み合わせ情報を生成する組み合わせ情報生成手段と、
前記組み合わせ情報生成手段により生成された前記組み合わせ情報および前記組み合わせ情報の組み合わせに対応する前記履歴符号化パラメータを、前記再符号化ストリームとともに出力する出力手段と
を備える符号化ストリーム変換装置。
【請求項１０】  符号化ストリームを再符号化ストリームに変換処理する符号化ストリーム変換装置の符号化ストリーム変換方法において、
前記符号化ストリームに対する過去の符号化処理または復号処理において利用された履歴符号化パラメータを、前記符号化ストリームとともに入力する入力ステップと、
前記入力ステップの処理により入力された前記符号化ストリームを前記再符号化ストリームに変換処理する変換ステップと、
現在の符号化パラメータを算出する符号化パラメータ算出ステップと、
前記履歴符号化パラメータ、および、前記符号化パラメータ算出ステップの処理により算出された前記現在の符号化パラメータの選択的な組み合わせを示す組み合わせ情報を生成する組み合わせ情報生成ステップと、
前記組み合わせ情報生成ステップの処理により生成された前記組み合わせ情報および前記組み合わせ情報の組み合わせに対応する前記履歴符号化パラメータを、前記再符号化ストリームとともに出力する出力ステップと
を含む符号化ストリーム変換方法。
【請求項１１】  符号化ストリームを出力するストリーム出力装置において、
前記符号化ストリームに対する過去の符号化処理または復号処理において使用された履歴符号化パラメータを入力する入力手段と、
前記符号化ストリームを利用するアプリケーションに応じた前記履歴符号化パラメータの選択的な組み合わせを示す組み合わせ情報を生成する組み合わせ情報生成手段と、
前記組み合わせ情報生成手段により生成された前記組み合わせ情報及び前記組み合わせ情報の組み合わせに対応する前記履歴符号化パラメータを、前記符号化ストリームとともに出力する出力手段と
を備えるストリーム出力装置。
【請求項１２】  符号化ストリームを出力するストリーム出力装置のストリーム出力方法において、
前記符号化ストリームに対する過去の符号化処理または復号処理において使用された履歴符号化パラメータを入力する入力ステップと、
前記符号化ストリームを利用するアプリケーションに応じた前記履歴符号化パラメータの選択的な組み合わせを示す組み合わせ情報を生成する組み合わせ情報生成ステップと、
前記組み合わせ情報生成ステップの処理により生成された前記組み合わせ情報及び前記組み合わせ情報の組み合わせに対応する前記履歴符号化パラメータを、前記符号化ストリームとともに出力する出力ステップと
を含むストリーム出力方法。
【請求項１３】  符号化ストリームを出力するストリーム出力装置において、
前記符号化ストリームに対する過去の符号化処理または復号処理において使用された履歴符号化パラメータを入力する入力手段と、
前記符号化ストリームを伝送する伝送路又は前記符号化ストリームを記録する記録媒体の容量に応じた前記履歴符号化パラメータの選択的な組み合わせを示す組み合わせ情報を生成する組み合わせ情報生成手段と、
前記組み合わせ情報生成手段により生成された前記組み合わせ情報及び前記組み合わせ情報の組み合わせに対応する前記履歴符号化パラメータを、前記符号化ストリームとともに出力する出力手段と
を備えるストリーム出力装置。
【請求項１４】  符号化ストリームを出力するストリーム出力装置のストリーム出力方法において、
前記符号化ストリームに対する過去の符号化処理または復号処理において使用された履歴符号化パラメータを入力する入力ステップと、
前記符号化ストリームを伝送する伝送路又は前記符号化ストリームを記録する記録媒体の容量に応じた前記履歴符号化パラメータの選択的な組み合わせを示す組み合わせ情報を生成する組み合わせ情報生成ステップと、
前記組み合わせ情報生成ステップの処理により生成された前記組み合わせ情報及び前記組み合わせ情報の組み合わせに対応する前記履歴符号化パラメータを、前記符号化ストリームとともに出力する出力ステップと
を含むストリーム出力方法。
【手続補正３】
【補正対象書類名】明細書
【補正対象項目名】０００１
【補正方法】変更
【補正の内容】
【０００１】
【発明の属する技術分野】
本発明は、符号化ストリーム変換装置、および、符号化ストリーム変換方法、並びに、ストリーム出力装置、および、ストリーム出力方法に関し、特に、MPEG規格に基づいて符号化された符号化ビットストリームのGOP（Group of Pictures）の構造を変更したり、符号化ビットストリームのビットレートを変更するためのトランスコーディング装置に用いて好適な符号化ストリーム変換装置、および、符号化ストリーム変換方法、並びに、ストリーム出力装置、および、ストリーム出力方法に関する。
【手続補正４】
【補正対象書類名】明細書
【補正対象項目名】００１１
【補正方法】変更
【補正の内容】
【００１１】
【課題を解決するための手段】
本発明の第１の側面の符号化ストリーム変換装置は、符号化ストリームを再符号化ストリームに変換処理する符号化ストリーム変換装置であって、前記符号化ストリームに対する過去の符号化処理または復号処理において利用された履歴符号化パラメータを、前記符号化ストリームとともに入力する入力手段と、前記入力手段により入力された前記符号化ストリームを前記再符号化ストリームに変換処理する変換手段と、前記履歴符号化パラメータの選択的な組み合わせを示す組み合わせ情報を生成する組み合わせ情報生成手段と、前記組み合わせ情報生成手段により生成された前記組み合わせ情報及び前記組み合わせ情報の組み合わせに対応する前記履歴符号化パラメータを、前記再符号化ストリームとともに出力する出力手段とを備える。
【手続補正５】
【補正対象書類名】明細書
【補正対象項目名】００１２
【補正方法】変更
【補正の内容】
【００１２】
前記組み合わせ情報は、変換処理による画質劣化の程度に応じて区別されている情報であるものとすることができる。
【手続補正６】
【補正対象書類名】明細書
【補正対象項目名】００１３
【補正方法】変更
【補正の内容】
【００１３】
前記組み合わせ情報は、前記再符号化ストリームを利用するアプリケーションに応じて区別されている情報であるものとすることができ、前記組み合わせ情報生成手段には、前記アプリケーションの要求を満たすような前記組み合わせ情報を生成させるようにすることができる。
【手続補正７】
【補正対象書類名】明細書
【補正対象項目名】００１４
【補正方法】変更
【補正の内容】
【００１４】
前記組み合わせ情報は、前記再符号化ストリームが伝送される伝送路、または、前記再符号化ストリームを記録する記録媒体の容量に応じて区別されている情報であるものとすることができる。
【手続補正８】
【補正対象書類名】明細書
【補正対象項目名】００１５
【補正方法】変更
【補正の内容】
【００１５】
前記出力手段には、前記組み合わせ情報および前記組み合わせ情報の組み合わせに対応する前記履歴符号化パラメータを、前記再符号化ストリームに記述して出力させるようにすることができる。
【手続補正９】
【補正対象書類名】明細書
【補正対象項目名】００１６
【補正方法】変更
【補正の内容】
【００１６】
前記変換手段には、前記履歴符号化パラメータを再利用して前記再符号化ストリームを生成させるようにすることができる。
【手続補正１０】
【補正対象書類名】明細書
【補正対象項目名】００１７
【補正方法】変更
【補正の内容】
【００１７】
前記変換手段には、前記理履歴符号化パラメータに含まれるピクチャタイプが変換処理に用いるピクチャタイプと一致した場合のみ、前記履歴符号化パラメータを再利用させるようにすることができる。
【手続補正１１】
【補正対象書類名】明細書
【補正対象項目名】００１８
【補正方法】変更
【補正の内容】
【００１８】
本発明の第１の側面の符号化ストリーム変換方法は、前記符号化ストリームに対する過去の符号化処理または復号処理において利用された履歴符号化パラメータを、前記符号化ストリームとともに入力する入力ステップと、前記入力ステップの処理により入力された前記符号化ストリームを前記再符号化ストリームに変換処理する変換ステップと、前記履歴符号化パラメータの選択的な組み合わせを示す組み合わせ情報を生成する組み合わせ情報生成ステップと、前記組み合わせ情報生成ステップの処理により生成された前記組み合わせ情報および前記組み合わせ情報の組み合わせに対応する前記履歴符号化パラメータを、前記再符号化ストリームとともに出力する出力ステップとを含む。
【手続補正１２】
【補正対象書類名】明細書
【補正対象項目名】００１９
【補正方法】変更
【補正の内容】
【００１９】
本発明の第１の側面においては、符号化ストリームに対する過去の符号化処理または復号処理において利用された履歴符号化パラメータが、符号化ストリームとともに入力され、符号化ストリームが再符号化ストリームに変換され、履歴符号化パラメータの選択的な組み合わせを示す組み合わせ情報が生成され、生成された組み合わせ情報および組み合わせ情報の組み合わせに対応する履歴符号化パラメータが、再符号化ストリームとともに出力される。
【手続補正１３】
【補正対象書類名】明細書
【補正対象項目名】００２０
【補正方法】変更
【補正の内容】
【００２０】
本発明の第２の側面の符号化ストリーム変換装置は、符号化ストリームを再符号化ストリームに変換処理する符号化ストリーム変換装置であって、前記符号化ストリームに対する過去の符号化処理または復号処理において利用された履歴符号化パラメータを、前記符号化ストリームとともに入力する入力手段と、前記入力手段により入力された前記符号化ストリームを前記再符号化ストリームに変換処理する変換手段と、現在の符号化パラメータを算出する符号化パラメータ算出手段と、前記履歴符号化パラメータ、および、前記符号化パラメータ算出手段により算出された前記現在の符号化パラメータの選択的な組み合わせを示す組み合わせ情報を生成する組み合わせ情報生成手段と、前記組み合わせ情報生成手段により生成された前記組み合わせ情報および前記組み合わせ情報の組み合わせに対応する前記履歴符号化パラメータを、前記再符号化ストリームとともに出力する出力手段とを備える。
【手続補正１４】
【補正対象書類名】明細書
【補正対象項目名】００２１
【補正方法】変更
【補正の内容】
【００２１】
本発明の第２の側面の符号化ストリーム変換方法は、前記符号化ストリームに対する過去の符号化処理または復号処理において利用された履歴符号化パラメータを、前記符号化ストリームとともに入力する入力ステップと、前記入力ステップの処理により入力された前記符号化ストリームを前記再符号化ストリームに変換処理する変換ステップと、現在の符号化パラメータを算出する符号化パラメータ算出ステップと、前記履歴符号化パラメータ、および、前記符号化パラメータ算出ステップの処理により算出された前記現在の符号化パラメータの選択的な組み合わせを示す組み合わせ情報を生成する組み合わせ情報生成ステップと、前記組み合わせ情報生成ステップの処理により生成された前記組み合わせ情報および前記組み合わせ情報の組み合わせに対応する前記履歴符号化パラメータを、前記再符号化ストリームとともに出力する出力ステップとを含む。
【手続補正１５】
【補正対象書類名】明細書
【補正対象項目名】００２２
【補正方法】変更
【補正の内容】
【００２２】
本発明の第２の側面においては、符号化ストリームに対する過去の符号化処理または復号処理において利用された履歴符号化パラメータが、符号化ストリームとともに入力され、入力された符号化ストリームが再符号化ストリームに変換され、現在の符号化パラメータが算出され、履歴符号化パラメータ、および、算出された現在の符号化パラメータの選択的な組み合わせを示す組み合わせ情報が生成され、生成された組み合わせ情報および組み合わせ情報の組み合わせに対応する履歴符号化パラメータが、再符号化ストリームとともに出力される。
【手続補正１６】
【補正対象書類名】明細書
【補正対象項目名】００２３
【補正方法】変更
【補正の内容】
【００２３】
本発明の第３の側面のストリーム出力装置は、符号化ストリームを出力するストリーム出力装置であって、前記符号化ストリームに対する過去の符号化処理または復号処理において使用された履歴符号化パラメータを入力する入力手段と、前記符号化ストリームを利用するアプリケーションに応じた前記履歴符号化パラメータの選択的な組み合わせを示す組み合わせ情報を生成する組み合わせ情報生成手段と、前記組み合わせ情報生成手段により生成された前記組み合わせ情報及び前記組み合わせ情報の組み合わせに対応する前記履歴符号化パラメータを、前記符号化ストリームとともに出力する出力手段とを備える。
【手続補正１７】
【補正対象書類名】明細書
【補正対象項目名】００２４
【補正方法】変更
【補正の内容】
【００２４】
本発明の第３の側面のストリーム出力方法は、前記符号化ストリームに対する過去の符号化処理または復号処理において使用された履歴符号化パラメータを入力する入力ステップと、前記符号化ストリームを利用するアプリケーションに応じた前記履歴符号化パラメータの選択的な組み合わせを示す組み合わせ情報を生成する組み合わせ情報生成ステップと、前記組み合わせ情報生成ステップの処理により生成された前記組み合わせ情報及び前記組み合わせ情報の組み合わせに対応する前記履歴符号化パラメータを、前記符号化ストリームとともに出力する出力ステップとを含む。
【手続補正１８】
【補正対象書類名】明細書
【補正対象項目名】００２５
【補正方法】変更
【補正の内容】
【００２５】
本発明の第３の側面においては、符号化ストリームに対する過去の符号化処理または復号処理において使用された履歴符号化パラメータが入力され、符号化ストリームを利用するアプリケーションに応じた履歴符号化パラメータの選択的な組み合わせを示す組み合わせ情報が生成され、生成された組み合わせ情報及び組み合わせ情報の組み合わせに対応する履歴符号化パラメータが、符号化ストリームとともに出力される。
【手続補正１９】
【補正対象書類名】明細書
【補正対象項目名】００２６
【補正方法】変更
【補正の内容】
【００２６】
本発明の第４の側面のストリーム出力装置は、符号化ストリームを出力するストリーム出力装置であって、前記符号化ストリームに対する過去の符号化処理または復号処理において使用された履歴符号化パラメータを入力する入力手段と、前記符号化ストリームを伝送する伝送路又は前記符号化ストリームを記録する記録媒体の容量に応じた前記履歴符号化パラメータの選択的な組み合わせを示す組み合わせ情報を生成する組み合わせ情報生成手段と、前記組み合わせ情報生成手段により生成された前記組み合わせ情報及び前記組み合わせ情報の組み合わせに対応する前記履歴符号化パラメータを、前記符号化ストリームとともに出力する出力手段とを備える。
【手続補正２０】
【補正対象書類名】明細書
【補正対象項目名】００２７
【補正方法】変更
【補正の内容】
【００２７】
本発明の第４の側面のストリーム出力方法は、前記符号化ストリームに対する過去の符号化処理または復号処理において使用された履歴符号化パラメータを入力する入力ステップと、前記符号化ストリームを伝送する伝送路又は前記符号化ストリームを記録する記録媒体の容量に応じた前記履歴符号化パラメータの選択的な組み合わせを示す組み合わせ情報を生成する組み合わせ情報生成ステップと、前記組み合わせ情報生成ステップの処理により生成された前記組み合わせ情報及び前記組み合わせ情報の組み合わせに対応する前記履歴符号化パラメータを、前記符号化ストリームとともに出力する出力ステップとを含む。
【手続補正２１】
【補正対象書類名】明細書
【補正対象項目名】００２８
【補正方法】変更
【補正の内容】
【００２８】
本発明の第４の側面においては、符号化ストリームに対する過去の符号化処理または復号処理において使用された履歴符号化パラメータが入力され、符号化ストリームを伝送する伝送路又は符号化ストリームを記録する記録媒体の容量に応じた履歴符号化パラメータの選択的な組み合わせを示す組み合わせ情報が生成され、生成された組み合わせ情報及び組み合わせ情報の組み合わせに対応する履歴符号化パラメータが、符号化ストリームとともに出力される。
【手続補正２２】
【補正対象書類名】明細書
【補正対象項目名】０４５５
【補正方法】変更
【補正の内容】
【０４５５】
【発明の効果】
本発明の第１の側面によれば、符号化ストリームを再符号化ストリームに変換することができ、特に、履歴符号化パラメータの選択的な組み合わせを示す組み合わせ情報および組み合わせ情報の組み合わせに対応する履歴符号化パラメータが、再符号化ストリームとともに出力されるので、再符号化に伴う画像の劣化を抑制可能なストリームを、伝送することが可能となる。
【手続補正２３】
【補正対象書類名】明細書
【補正対象項目名】０４５６
【補正方法】変更
【補正の内容】
【０４５６】
本発明の第２の側面によれば符号化ストリームを再符号化ストリームに変換することができ、特に、現在の符号化パラメータが算出され、履歴符号化パラメータ、および、算出された現在の符号化パラメータの選択的な組み合わせを示す組み合わせ情報と、組み合わせ情報の組み合わせに対応する履歴符号化パラメータが、再符号化ストリームとともに出力されるので、再符号化に伴う画像の劣化を抑制可能なストリームを、伝送することが可能となる。
【手続補正２４】
【補正対象書類名】明細書
【補正対象項目名】０４５７
【補正方法】変更
【補正の内容】
【０４５７】
本発明の第３の側面によれば、符号化ストリームを出力することができ、特に、符号化ストリームを利用するアプリケーションに応じた履歴符号化パラメータの選択的な組み合わせを示す組み合わせ情報と、組み合わせ情報の組み合わせに対応する履歴符号化パラメータが、符号化ストリームとともに出力されるので、再符号化に伴う画像の劣化を抑制可能なストリームを、伝送することが可能となる。
本発明の第４の側面によれば、符号化ストリームを出力することができ、特に、符号化ストリームを伝送する伝送路又は符号化ストリームを記録する記録媒体の容量に応じた履歴符号化パラメータの選択的な組み合わせを示す組み合わせ情報と、組み合わせ情報の組み合わせに対応する履歴符号化パラメータが、符号化ストリームとともに出力されるので、再符号化に伴う画像の劣化を抑制可能なストリームを、伝送することが可能となる。